(57)【要約】  本発明は、‐  各電極が、それぞれの電圧源への接続に適している複数の電極Ａ、Ｂ、Ｃ、及びＤを含む抵抗シートＲＳを有する基板と、‐  各照明要素が、光源ＬＥＤと、それぞれの電気的接続端子への電気的接続のための少なくとも２本の接触ピンＣＰ１及びＣＰ２と、前記接触ピン間の電圧に依存して前記光源により生成される光出力及び／又は光の色を制御するための制御回路とを有する複数の照明要素ＬＥ１、ＬＥ２、ＬＥ３、及びＬＥ４と、を有し、  前記電気的接続端子は、前記照明要素が種々異なる位置及び種々異なる方向に接続されることができるように、前記抵抗シートにわたって配置され、  前記接触ピン間に存在する前記電圧は、前記照明要素の前記位置及び方向に依存し、前記照明要素により生成される光出力及び／又は光の色は、前記照明要素の前記接触ピン間の前記電圧の大きさに依存する、照明システムに関する。
2015510238.tif 000002
【特許請求の範囲】
【請求項１】
‐  各電極がそれぞれの電圧源への接続に適している複数の電極、及び抵抗シートを有する基板と、
‐  各照明要素が、光源、前記抵抗シートと電気的接続のための２本の接触ピン、並びに前記接触ピン間の電圧に依存して前記光源により生成される光出力及び／又は光の色を制御するための制御回路を有する複数の照明要素と、
を有し、
前記照明要素は、種々異なる位置及び種々異なる方向に接続されることができ、
前記接触ピン間に存在する電圧は、前記照明要素の位置及び方向に依存する、
照明システム。
【請求項２】
前記抵抗シートは、複数の電気的接続端子を備える、請求項１に記載の照明システム。
【請求項３】
前記照明要素の少なくとも一部の前記接触ピン間の距離は、調節可能である、請求項１に記載の照明システム。
【請求項４】
前記照明要素に含まれる前記光源の少なくとも一部は、一つ以上のＬＥＤを有する、請求項１に記載の照明システム。
【請求項５】
動作中に前記照明要素の前記光源により消費される電力は、前記抵抗シートを通して前記電極により供給される、請求項１に記載の照明システム。
【請求項６】
前記照明要素は、電池を有し、動作中に前記照明要素の前記光源により消費される電力は、前記電池から供給される、請求項１に記載の照明システム。
【請求項７】
前記電池は、再充電可能である、請求項６に記載の照明システム。
【請求項８】
前記基板及び前記照明要素の一部は、容量性又は誘導性電力伝達のための回路を備え、動作中に前記照明要素の前記光源により消費される電力は、前記容量性又は誘導性電力伝達を介して供給される、請求項１に記載の照明システム。
【請求項９】
前記基板は、前記抵抗シートと平行に配置され、少なくとも一つの電極を備える第１の低抵抗シートを更に有し、前記照明要素の少なくとも一部は、前記第１の低抵抗シートへの電気的接続のための第３の接触ピンを有する、請求項１に記載の照明システム。
【請求項１０】
前記第１の低抵抗シートは、複数の電気的接続端子を備える、請求項９に記載の照明システム。
【請求項１１】
前記基板は、前記抵抗シートと平行に配置され、少なくとも一つの電極を備える第２の低抵抗シートを有し、前記照明要素の少なくとも一部は、前記第１の低抵抗シートへの電気的接続のための第３の接触ピンと、前記第２の低抵抗シートへの電気的接続のための第４の接触ピンとを有する、請求項８に記載の照明システム。
【請求項１２】
前記第２の低抵抗シートは、複数の電気的接続端子を備える、請求項１１に記載の照明システム。
【請求項１３】
前記電気的接続端子への前記接触ピンの接続は、着脱可能である、請求項２、１０、又は１２のいずれか一項に記載の照明システム。
【請求項１４】
‐  各電極がそれぞれの電圧源への接続に適している複数の電極と、複数の電気的接続端子とを含む抵抗シートを有する基板を設けるステップと、
‐  各照明要素が、光源と、それぞれの電気的接続端子への電気的接続のための２本の接触ピンとを有する複数の照明要素を設けるステップと、
‐  前記電極をそれぞれの電圧源に接続するステップと、 
‐  前記照明要素を種々異なる位置及び種々異なる方向に接続して、前記接触ピン間に存在する電圧が、前記照明要素の位置及び方向に依存する、当該接続するステップと、前記照明要素の前記接触ピン間の前記電圧の大きさに依存して前記照明要素により生成される光出力及び／又は光の色を制御するステップと、
を含む、照明システムを動作させる方法。
【発明の詳細な説明】
【技術分野】
【０００１】
本発明は、各々が光源を有する複数の照明要素と、前記照明要素が、互いに間隔をおいて、且つ、装飾照明が得られるようなオーダーで、着脱可能に接続された基板とを有する照明システムに関する。この装飾照明の構成及び形状は、ユーザにより任意の特定の目的に変更され、適合されることができる。
【背景技術】
【０００２】
照明システムは、ＵＳ２０１０／０１３５０２２に開示されている。既知の照明システムは、保持手段が設けられた孔のアレイを備える基板を有する。配線によって、照明要素は、直列又は並列に相互接続され、動作のための電流を供給する制御回路に接続され、保持手段により基板の孔に嵌合される。照明システムにより形成される装飾照明の構成及び形状は、ユーザにより実質的に無限の回数にわたって任意の特定の目的に変更され、適合されることができる。しかしながら、既知の照明システムの不利な点は、照明要素の数に比例して、配線量も増大する点である。より具体的には、平坦な基板の場合、これら全ての配線を収容することは、問題となり得る。
【発明の概要】
【発明が解決しようとする課題】
【０００３】
本発明は、照明要素の量が比較的多い場合であっても、配線量が非常に少ない照明システムを提供することを目的としている。
【課題を解決するための手段】
【０００４】
本発明の第１の態様によると、
‐  各電極がそれぞれの電圧源への接続に適している複数の電極を備える抵抗シートを有する基板と、
‐  各照明要素が、光源、抵抗シートと電気的接触を確立するための２本の接触ピン、並びに接触ピン間の電圧に依存して光源により生成される光出力及び／又は光の色を制御するための制御回路を有する複数の照明要素と、
を有し、
前記照明要素は、種々異なる位置及び種々異なる方向に接続することができ、接触ピン間に存在する電圧は、照明要素の位置及び方向に依存する、照明システムが提供される。
【０００５】
各照明要素の２本の接触ピンは、本発明による照明システムにおける基板の抵抗シートと直接電気的接触をしていることから、照明要素には配線が取り付けられていないため、大量の配線は必要でない。結果として、大量の配線を収容する必要がなく、照明要素は配線に接続されていないため、これらは取扱いも容易で、基板上のどこにでも容易に位置付けることができる。電圧が抵抗シートに含まれる電極の各々に付与されると、各照明要素の接触ピン間の電圧は、接触ピン間の距離、抵抗シート上の位置、及び更に電極の電圧により生じる抵抗シート内の電界に関する照明要素の方向に依存する。
【０００６】
本発明による照明システムの第１の好ましい実施形態では、抵抗シートは、複数の電気的接続端子を備える。接触ピンを抵抗シートと接触させ、この接触を維持するために、いくつかの可能性が存在する。例えば抵抗シートをゴム、プラスチック又は同様の材料の層で覆い、単に接触ピンを、抵抗シートに接触するまで、この層に押し通すことは可能である。接触ピンは、その後、層により保持される。しかしながら、接触ピンと抵抗シートとの間の接触が非常に信頼できるものであることを確実にすることは、大抵望ましい。これは、電気的接続端子を利用することにより実現することができる。
【０００７】
本発明による照明システムの第２の好ましい実施形態では、照明要素の少なくとも一部の接触ピン間の距離は、調節可能である。このような照明要素が、例えば照明要素により生成される光の好ましい方向のために望ましい位置及び方向に置かれている場合、接触ピン間の電圧は、ピン間の距離を調節することにより調整することができる。
【０００８】
本発明による照明システムの第３の好ましい実施形態では、照明要素に含まれる光源の少なくとも一部は、一つ以上のＬＥＤを有する。ＬＥＤは、小型で、高効率且つ長寿命である。これらの理由により、ＬＥＤは、本発明によるシステムの照明要素の光源として機能するのに非常に適している。
【０００９】
本発明による照明システムの第４の好ましい実施形態では、動作中に照明要素の光源により消費される電力は、抵抗シートを通して電極により供給される。電力は、電極から抵抗シートを通して電気的接続端子に伝達されるため、これらの電極と接続端子との間に配線は必要でなく、従って、この特徴も配線の量を低く抑えるのに役立つ。
【００１０】
本発明による照明システムの第５の好ましい実施形態では、照明要素は電池を有し、動作中に照明要素の光源により消費される電力は、電池から少なくとも部分的に供給される。この実施形態では、光源への電力は、抵抗シートにおける電力散逸が低減され、照明システムの効率が増大されるような態様で供給される。好ましくは、電池は、再充電可能である。
【００１１】
本発明による照明システムの第６の好ましい実施形態では、基板及び照明要素の一部は、容量性又は誘導性電力伝達のための回路を備え、動作中に照明要素の光源により消費される電力は、容量性又は誘導性電力伝達を介して、少なくとも部分的に供給される。この実施形態においても、抵抗シートにおける電力散逸は、低減される。
【００１２】
本発明による照明システムの第７の好ましい実施形態では、基板は、抵抗シートと平行に配置され、少なくとも一つの電極を備える第１の低抵抗シートを更に有し、照明要素の少なくとも一部は、第１の低抵抗シートへの電気的接続のための第３の接触ピンを有する。第１の低抵抗シート上に位置付けられた少なくとも一つの電極から、第１の低抵抗シートを通して、照明要素に電力を供給することにより、第１の低抵抗シートの低い抵抗のために、電力散逸は制限される。好ましくは、第６の好ましい実施形態は、抵抗シートと平行に配置され、少なくとも一つの電極を備える第２の低抵抗シートを更に有し、照明要素の少なくとも一部は、第２の低抵抗シートへの電気的接続のための第４の接触ピンを有する。この後者の場合、電力は、第１及び第２の低抵抗シートの両方を通して供給され、電力散逸の更なる減少をもたらす。
【００１３】
第３の接触ピンと第１の低抵抗シートとの間の接触と、第４の接触ピンと第２の低抵抗シートとの間の接触は、接触ピンと抵抗シートとの間の接触について例えば上に説明されたような電気的接続端子を利用することなく実現することができる。しかしながら、接触ピンと低抵抗シートとの間に非常に信頼できる接触を有することは、大抵望ましく、従って、接触ピンと低抵抗シートとの間に接続を確立するために、第１及び第２の低抵抗シートに電気的接続端子を備えることは、大抵好ましい。
【００１４】
本発明の第２の態様によれば、照明システムを動作させるための方法が提供され、当該方法は、
‐  各電極がそれぞれの電圧源への接続に適している複数の電極と、複数の電気的接続端子とを含む抵抗シートを有する基板を設けるステップと、
‐  各照明要素が、光源と、それぞれの電気的接続端子に電気的に接続するための２本の接触ピンとを有する複数の照明要素を設けるステップと、
‐  電極をそれぞれの電圧源に接続するステップと、 
‐  照明要素を種々異なる位置及び種々異なる方向に接続して、接触ピン間に存在する電圧が、照明要素の位置及び方向に依存する、当該接続するステップと、照明要素の接触ピン間の電圧の大きさに依存して照明要素により生成される光出力及び／又は光の色を制御するステップと、を含む。
【００１５】
本発明による方法の利点は、本発明による照明システムの利点と同様である。
【図面の簡単な説明】
【００１６】
本発明の実施形態は、図面を利用して更に説明されるだろう。
【００１７】
【図１】図１は、本発明による照明システムの第１の実施形態の概略図を示す。
【図２】図２は、図１に示される照明システムで用いる照明要素の実施形態の概略図の一つを示す。
【図３】図３は、図１に示される照明システムで用いる照明要素の実施形態の概略図の一つを示す。
【図４】図４は、図１に示される照明システムで用いる照明要素の実施形態の概略図の一つを示す。
【図５ａ】図５ａは、２本以上の接触ピンを持つ照明要素と、抵抗シートに加えて少なくとも一つの低抵抗シートを含む基板とを有する本発明による照明システムの概略図の一つを示す。
【図５ｂ】図５ｂは、２本以上の接触ピンを備える照明要素と、抵抗シートに加えて少なくとも一つの低抵抗シートを含む基板とを有する本発明による照明システムの概略図の一つを示す。
【図６】図６は、誘導性又は容量性電力伝達のための回路を備える照明要素の概略図の一つを示す。
【図７】図７は、誘導性又は容量性電力伝達のための回路を備える照明要素の概略図の一つを示す。
【図８】図８は、再充電可能電池を備える照明要素を示す。
【発明を実施するための形態】
【００１８】
図１では、ＲＳは、基板に含まれる抵抗シートである。抵抗シートＲＳは、平坦且つ矩形である。前記シートの四隅には、電極Ａ、Ｂ、Ｃ、及びＤが位置する。電極Ｄ及びＣは、ｘ軸沿いにあり、電極Ｄ及びＡは、ｙ軸沿いにある。照明要素ＬＥ１、ＬＥ２、ＬＥ３、及びＬＥ４は、各々、抵抗シートＲＳに含まれる接続端子（不図示）への電気的接続のために矢印で示される２本の接触ピンを有する。照明要素は、一つ以上のＬＥＤにより形成された光源と、接触ピン間の電圧に依存して光源により生成される光出力及び／又は光の色を制御するための制御回路とを更に有する。接触ピンは、あたかもこれらが抵抗シートＲＳの平面の中にあるかのように示されていることに留意されたい。しかしながら、接触ピンが接続端子に接続されている場合、接触ピンは、抵抗シートＲＳに垂直である。電気的接触としての機能を果たすことに加え、接続端子は、機械的結合目的にも役に立つことにも留意されたい。しかしながら、代替的に、照明要素の基板への機械的結合は、例えば磁力、接着剤、粘着力、フック及びループ締着具、吸着カップ等によって実現されてもよい。照明要素の各々は、種々異なる位置にあり、更に種々異なる方向を有することが図１に見ることができる。照明要素が光を生成するか、及びどの位生成するかは、電極に存在する電圧に依存する。このことは、表１に例示されている。
【００１９】
５つの種々異なる状況（状態）が考えられる。第１の状況では、正電圧が電極Ａ及びＤに存在し、負電圧が電極Ｂ及びＣに存在する。この第１の状況では、電界は、抵抗シートＲＳにおいて正ｘ方向に存在する。照明要素ＬＥ１は、ｘ軸と平行に位置付けられているので、接触ピン間の電圧差は、接触ピン距離及び電界の強さを所与として、最も高い可能値を持つ。結果として、照明要素ＬＥ１は、その最大光出力を生成する、又は換言すれば、照明要素は、「フルオン（full on）」である。照明要素ＬＥ２及びＬＥ３は両方共、電界に対して４５度の角度で対角線方向に向けられる。
（表１）
状態  電力供給    ＬＥ１      ＬＥ２      ＬＥ３      ＬＥ４
１    ＋Ａ，Ｄ    フルオン    減光        減光        オフ
−Ｂ，Ｃ
２    ＋Ａ        減光        オフ        フルオン    オフ
−Ｃ
３    ＋Ａ，Ｂ    オフ        オフ        減光        減光
−Ｄ，Ｃ
４    ＋Ｄ，Ｃ    オフ        減光        オフ        オフ
−Ａ，Ｂ
５    ＋Ｂ        オフ        オフ        オフ        フルオン
−Ｄ
【００２０】
ｘ軸に沿って測定された接触ピン間の距離が小さいため、接触ピン間の電圧は、照明要素ＬＥ１に対する電圧よりも小さい。結果として、照明要素ＬＥ２及びＬＥ３の両方は、照明要素ＬＥ１よりも少ない光（減光動作）を生成する。照明要素ＬＥ４は、正ｘ方向に対して１３５度の角度にあり、従って、接触ピン間に存在する電圧は負であり、照明要素ＬＥ４は、光を全く生成していない、すなわち換言すれば、ＬＥ４は「オフ」である。
【００２１】
第２の状況では、電極Ａは、正電圧に接続され、電極Ｃは、負電圧に接続されている。これにより、電極Ａから電極Ｃに広がる電界が存在する。照明要素ＬＥ２及びＬＥ４は、この電界に垂直であるため、これらの接触ピン間の電圧はゼロであり、従って、これらの照明要素はオフである。ＬＥ３は、電界と同じ方向に向けられているため、照明要素ＬＥ３はフルオンである。照明要素ＬＥ１は、電界に対して４５度の角度にあり、それ故に減光動作にあり、電界の方向で測定された接触ピン間の距離は、照明要素ＬＥ３の場合よりも小さいため、その結果、照明要素ＬＥ１の接触ピン間の電圧は、照明要素ＬＥ３の接触ピン間のそれより小さくなる。表１は、更なる３つの状況に対する照明要素の光出力を示す。照明要素の光出力は、各状況で、又は換言すれば、抵抗シートの電極に存在する異なる電圧によって異なることが図１に見ることができる。照明要素は、個別にアドレス指定されることができないが、これらの光出力は、電極に存在する電圧によって制御されることができる。照明要素の各々の光出力は、従って、照明システムを、電極に存在する電圧により規定されている状態（又は状況）である、種々異なる状態にさせることにより変更することができる。結果として、調整可能なわずかな時間に速い反復又はランダムなシーケンスで、照明システムを種々異なる状態にさせることにより、種々異なる照明効果を作り出すことができる。
【００２２】
図１に示される照明要素は、２本の接触ピンのみを備え、例えば電池、又は電源との誘導性若しくは容量性結合のための回路などの電源を含まない。結果的に、照明要素に含まれる光源により消費される電力は、基板に含まれる電極から抵抗シートＲＳ、接続端子、及び接触ピンを介して供給される。光源が、１色のＬＥＤから構成される場合、このような光源は、電流源により電力が供給されるべきである。このような照明要素では、照明要素に含まれる制御回路は、接触ピン間に存在する電圧から電流を生成するための回路を備える。同時に、接触ピン間の電圧は、電流源により生成される電流の大きさを決定する信号として機能する。照明要素の光源が、異なる色のＬＥＤにより形成され、接触ピン間の電圧が、色に対する制御信号として機能する場合、制御回路は、接触ピン間の電圧から異なる色のＬＥＤのための種々異なる電流を生成する回路を有する。同時に、接触ピン間の電圧は、これらの電流の大きさを決定する信号として機能する。照明要素の光源により生成される光の強度及び色の両方が、制御ピン間に電圧により制御される必要がある場合、ＬＥＤに供給される全電流と、異なる色のＬＥＤへのこの全電流の分布との両方は、接触ピン間に電圧により決定される。後者の２つの場合では、照明要素の制御回路にメモリを有するプロセッサを備えることは可能であり、メモリには、接触ピン間の電圧と、異なる色のＬＥＤに供給される必要がある電流の大きさとの関係が格納される。しかしながら、代替的に、接触ピン間の電圧と、異なる色のＬＥＤに供給される電流の大きさとの所望の関係は、照明要素の特定のハードウェア構成により形成される制御回路によって実現されてもよい。
【００２３】
図２は、接触ピン間に調節可能な距離を持つ照明要素を示す。この照明要素では、接触ピン間の電圧が照明要素の位置及び方向だけでなく、調節された距離にも依存するように、接触ピン間の電圧は、調整されることができる。結果として、システムの汎用性は増大される。
【００２４】
図３は、接触ピン間に調節可能な距離を持ち、２本の分岐を有する照明要素を示す。第１の枝には、第１の電流方向に対して、２つのＬＥＤが抵抗と直列にあり、第２の枝には、第２の電流方向に対して、ツェナー・ダイオードによりオフセットされる単一のＬＥＤがある。異なる枝にあるＬＥＤが、例えば異なる色の光を生成するＬＥＤである場合、この照明要素により生成される光の色は、方向に依存する。この照明要素の制御回路は、ツェナー・ダイオード及び抵抗により形成される。
【００２５】
図４は、３本の接触ピンと、異なる色の３つのＬＥＤを有する照明要素を示す。ＬＥＤの一つ一つは、２本の接触ピン間に接続されている。照明要素により生成される光の色は、抵抗シートの電極上に存在する電圧に依存する。抵抗シート内の電圧分布が速いシーケンスで循環される場合、人間の目は、「混合色」に気付くだろう。このように、ＬＥＤの色域内の任意の色は、電圧分布の速い循環により行われる混合により生成されることができる。
【００２６】
これまで、照明要素が、動作中、抵抗シート、接続端子、及び接触ピンを介して、抵抗シートＲＳに含まれる電極から電力を受ける照明システムのみを説明してきた。これらの照明システムの不利な点は、抵抗シートにおける比較的高い電力散逸であり、これは、照明システムの効率に悪影響を与える。図５乃至図８に示されるように、この問題を解決するために、いくつかの態様が存在する。
【００２７】
図５ａは、照明要素が４本の接触ピンＣＰ１乃至ＣＰ４を有する照明システムの実施形態を示す。接触ピンＣＰ１及びＣＰ２は、制御回路ＣＣの入力端子に接続されている。制御回路ＣＣの出力部は、ＬＥＤ負荷ＬＬに結合されている。制御回路ＣＣの他の入力部は、回路部ＰＰの出力部に結合されている。回路部ＰＰのそれぞれの入力端子は、それぞれ接触ピンＣＰ３及び接触ピンＣＰ４に接続されている。
【００２８】
照明システムに含まれる基板は、抵抗シートＲＳを有する。接触ピンＣＰ１及びＣＰ２は、抵抗シートＲＳに含まれるそれぞれの接続端子に接続されている。基板は、２つの低抵抗シートＬＲＳ１及びＬＲＳ２を更に有する。
【００２９】
接触ピンＣＰ３は、低抵抗シートＬＲＳ１に含まれる接続端子に接続され、接触ピンＣＰ４は、低抵抗シートＬＲＳ２に含まれる接続端子に接続されている。
【００３０】
前記低抵抗シートＬＲＳ１及びＬＲＳ２の各々に、少なくとも一つの電極ＥＬ１及びＥＬ２が、それぞれ接続されている。電極ＥＬ１及びＥＬ２は、それぞれの電源の出力端子に接続されている。
【００３１】
電界が抵抗シート内に存在することを確実にするために異なる電圧源に接続されたいくつかの電極は、抵抗シートＲＳに接続され、接触ピンＣＰ１とＣＰ２との間の電圧が、基板上の照明要素の位置及び方向に依存する。
【００３２】
動作中、回路部ＰＰは、接触ピンＣＰ３とＣＰ４との間に存在する電圧を適切な大きさのＤＣ供給電圧に変換する。このＤＣ供給電圧は、制御回路ＣＣに供給される。制御回路ＣＣは、ＤＣ供給電圧から一つ以上の駆動電流を生成し、これらの電流をＬＥＤ負荷ＬＬの部品に供給する。これらの部品は、例えば赤色ＬＥＤ、緑色ＬＥＤ、及び青色ＬＥＤのそれぞれにより形成される。一つ以上のＤＣ電流の大きさは、接触ピンＣＰ１と接触ピンＣＰ２との間に存在する電圧により決定される。照明システムにより消費される電力は、低抵抗シートを通して供給されるので、これらのシートにおける電力散逸は比較的低く、従って、照明システムは、効率的な態様で動作する。
【００３３】
図５ｂに示される照明システムは、第２の低抵抗シートＬＲＳ２及び接触ピンＣＰ４が省かれているという点で、図５ａに示されるそれと異なる。この実施形態では、ＲＳは、電力とデータとが組み合わされたシートを形成する。その抵抗は非常に低いので、接触ピンＣＰ１とＣＰ２との間に存在する電圧は、ＬＥＤ負荷ＬＬに抵抗シートＲＳを介して電流を供給するには不十分である。しかしながら、この電圧は、３本全ての接触ピンを介して受ける電力を使用して測定されて増幅され、従って、結果として生じる電圧は、ＬＥＤ負荷に供給するのに十分高い。ＬＥＤ負荷ＬＬに供給される電力を決定するのは、依然として、接触ピンＣＰ１とＣＰ２との間の電圧であることに留意されたい。
【００３４】
図６及び図７に示される照明システムは、回路部ＰＰの入力部が、電力を取り出すために接触ピンを介して低抵抗シートに接続していないが、誘導コイルＬ２（図６）及び容量性結合回路ＣＣＣ（図７）にそれぞれ接続されているという点で、図５Ａに示される照明システムと異なる。図６に示される照明システムの場合、誘導コイルＬ２は、基板内又は基板上に存在する誘導コイルＬ１と誘導結合されることを必要とする。誘導コイルＬ１は、ＡＣ電源に結合される必要がある。誘導コイルＬ１とＬ２との間の誘導結合を介して、ＡＣ電源からの電力は、回路部ＰＰの入力部に結合される。回路部ＰＰは、続いて、その入力部に存在するＡＣ電圧を整流し、整流された電圧を、図５Ａに関して上に説明したのと同じ態様で動作する制御回路ＣＣに供給される実質的に一定の大きさのＤＣ電圧に変換する。同様に、容量性結合回路は、回路部ＰＰの入力部を、容量性構造を介して、一部は照明要素に接続し、一部は基板内又は基板上に存在させることで、ＡＣ電源に結合させることを意図している。この場合においても、回路部ＰＰは、ＡＣ電圧を整流し、整流されたＡＣ電圧を、制御回路ＣＣに供給される実質的に一定の大きさのＤＣ電圧に変換する。
【００３５】
図６及び図７に示される照明システムでは、ＬＥＤ負荷ＬＬは、２つの部分に分けられ、一方の部分は、その光をあらゆる方向に放射し、他方の部分は、生成された光の全て又はかなりの部分を１つの特定の方向に結合させるレンズを備える。もちろん、図１乃至図８に示される全ての実施形態におけるＬＥＤ負荷は、必要に応じて、同じような部分に分けられることができる。
【００３６】
図６及び図７に示される照明システムでは、接触ピンＣＰ１及びＣＰ２は、電圧クランプとして機能するツェナー・ダイオードＺにより接続される。別の照明要素が、ツェナーによりクランプされた要素の直近の基板に接続されている場合、他のこの照明要素の接触ピン間の電圧もクランプされる。これにより、ツェナー・ダイオードは、本発明による照明システムにより生成される光の強度及び／又は色に影響を与えるための付加的手段を形成する。
【００３７】
図８では、回路部ＥＳは、例えば再充電可能電池などのエネルギー貯蔵素子である。動作中、回路部ＥＳは、電池のＤＣ電圧を制御回路ＣＣに供給する。照明システムの通常の動作は、その他の点では図５Ａの照明システムのそれと同一である。回路部ＥＳは、電池を充電するための接点Ｅ１及びＥ２を備える。充電は、基板から分離された充電器によって、接点Ｅ１及びＥ２を通して直接的に行われることができる。電池の充電が、その後接触ピンＣＰ１及びＣＰ２を介して行われることができるように、接点Ｅ１及びＥ２は、スイッチＳ１及びＳ２によって接触ピンＣＰ１及びＣＰ２に接続されることもできる。このような充電は、基板の特定のエリアにおいて行われることができ、そこには、エネルギーが比較的高い効率で供給される。スイッチＳ１及びＳ２は、手動か又は信号によって操作されることができる。回路部ＥＳの低い入力インピーダンスが、接触ピン間の電圧差を変え、これにより、接触ピンＣＰ１及びＣＰ２のシグナリング機能を妨げる場合、スイッチは、非導通にすることができる。
【００３８】
本発明は、図面及び上記記載において詳細に図示及び説明されてきたが、このような図示及び説明は、解説的又は例示的であって限定するものではないと見なされるべきである。即ち、本発明は、開示された実施形態に限定されるものではない。
【００３９】
開示された実施形態に対する他のバリエーションは、当業者により、請求項に係る発明を実施する際に、図面、開示内容、及び添付の請求項の精査から理解され、実施されることができる。請求項において、「有する(comprising)」なる単語は、他の要素又はステップを排除するものではなく、不定冠詞「a」又は「an」は、複数を排除するものではない。単一のプロセッサ又は他のユニットが、請求項に引用された幾つかの項目の機能を満たしてもよい。特定の手段が互いに異なる従属請求項に引用されているという単なる事実は、これら手段の組み合わせを有利に使用することができないということを示すものではない。
【図１】
2015510238.tif 000003
【図２】
2015510238.tif 000004
【図３】
2015510238.tif 000005
【図４】
2015510238.tif 000006
【図５Ａ】
2015510238.tif 000007
【図５Ｂ】
2015510238.tif 000008
【図６】
2015510238.tif 000009
【図７】
2015510238.tif 000010
【図８】
2015510238.tif 000011
【国際調査報告】
2015510238.tif 000012
2015510238.tif 000013
2015510238.tif 000014